(57)【特許請求の範囲】
【請求項１】
送付先の氏名・住所などが記載される表面薄板シートと、
前記表面薄板シートの裏面に積層され、写真や絵又はメッセージなどが描かれる裏面薄板シートと、を備えるスタンド付はがきであって、
前記表面薄板シートに、折り曲げ線と、一部に連結部を設けた切り込み線とを有し、スタンドとして使用する際は前記連結部を切断し、前記折り曲げ線に沿って引き起こす型抜きスタンドを備え、
前記スタンド付はがきが載置面と接触するはがき底辺と前記折り曲げ線がなす角度θは９０°よりも小さく、かつ、前記型抜きスタンドの底辺と前記はがき底辺は実質的に同一直線上にあり、前記折り曲げ線は、実質的に前記はがき底辺まで延びる線であって、
前記型抜きスタンド全体が、立設する際の前記スタンド付はがきの底辺に対して垂直方向における前記スタンド付はがきの中心線よりも左方の領域または右方の領域のいずれかに存在し、前記型抜きスタンドが前記中心線方向に向かって開くように構成されることを特徴とするスタンド付はがき。
【請求項２】
前記スタンド付はがきの載置面に対する傾斜角をα、前記折り曲げ線の前記型抜きスタンドの底辺に対する角度をθ、前記スタンドを開く角度をβとし、設定角度θsが、前記傾斜角α及び角度βを次式：
ｔａｎα＝ｔａｎθ・（１／ｓｉｎβ）
に代入して算出される角度θによって決定されることを特徴とする請求項１に記載のスタンド付はがき。
【請求項３】
前記表面薄板シートと前記裏面薄板シートは、前記裏面薄板シートに描画された写真や絵などのオブジェクトの外形に合わせた形状であることを特徴とする請求項１又は請求項２のいずれかに記載のスタンド付はがき。
【発明の詳細な説明】
【技術分野】
【０００１】
本発明は、薄板紙または樹脂製の薄板シートなどの薄板を用いて構成したスタンド付はがきに関し、特に受取人が机上などに立ててはがきの正面に描かれた絵や写真、メッセージなどを鑑賞することができるように構成したスタンド付はがきに関する。
【背景技術】
【０００２】
はがきは封筒に入れる必要が無く、ポストに投函することにより郵便番号・宛先住所に記載された受取人に対して、日本のみならず世界各国に郵送することが出来る利便性が高い郵便物として広く使われている。一般に、はがきは表面に切手貼り付け位置の指示枠、宛先受取人の郵便番号、住所、氏名やメッセージが記載され、裏面に写真や絵、メッセージなどが描かれているが、受取人は心のこもったはがきを受けとった場合でも、このはがきを身近なところに飾って鑑賞する構成を持たないため、引き出しなどに収納しておかざるを得なかった。
【０００３】
上記の課題、すなわち机上などに立てかけて常時鑑賞できるように工夫したはがきの提案がなされており、このようなはがきの第１の従来技術として、特許文献１（特開２００６−１５７１４公報）に葉書写真立てに関する技術が開示されている。この公報記載の葉書写真立てを図１５を参照して説明すると、図１５（ａ）は葉書立てにより写真立てを作成し、出来上がった写真立てを裏側から見た図であり、はがき表面に形成された三角形の３辺を構成する３本のミシン目状の切り込みのうち、対角線を走る切り込みと残り２辺のうちの一辺に形成された切り込みとを切り離して、押し型によって形成した浅い凹部の折り曲げ線１５４に沿って三角片部１５１を折り出し、この三角片部１５１を支えとして縦置きの葉書写真立てとして構成している。同様に図１５（ｂ）は、三角片部１５２を支えとして横置きの葉書写真立てとして構成している。
【０００４】
またはがきを立てて正面（裏面）に描かれた写真や絵、メッセージを鑑賞することが可能な第２の従来技術として、特許文献２（実用新案登録第３０２３３４７号公報）にポストカードに関する技術が開示されている。この公報記載のポストカードについて、ポストカードの背面平面図を表す図１６を参照して説明すると、ポストカード１６１の裏面に、スタンプ押印部１６２，宛名部１６３、挨拶文記載部１６４が設けられており、宛名部１６３には２つの三角形状のフラップ１６５，１６６がミシン目と切り取り線によって形成されている。これら２つの三角形状のフラップ１６５，１６６のうちいずれか一方を切り取り線に沿って切り離し、フラップ１６５又はフラップ１６６を折り返すことによりスタンドとして機能するように構成している。
【０００５】
またはがきを立てて裏面に描かれた写真や絵、メッセージを鑑賞することが可能な第３の従来技術として、特許文献３（実用新案登録第３１６８５７３号公報）に多機能のはがき構造に関する技術が開示されている。この公報記載のはがき構造について、図１７の斜視図を参照して説明すると、図１７（ａ）に示すように、縦方向のシート１７２をシート部材１７１上に垂直に立て、続いて、図１７（ｂ）に示すように、横方向のシート１７３をシート部材１７１上に垂直に立てる。こうして、横方向のシート１７３と縦方向のシート１７２が交差する部分は互いに掛け合うので、本公報記載のはがき構造を平面上に垂直に立て置くことにより写真立てとして使用するよう構成している。
【０００６】
またはがき立てではないが、非特許文献１に写真立てに関する従来技術が開示されている。この従来技術について図１８を参照して説明すると、厚紙（段ボール）からなる裏面薄板シート１８１に、２本の切り取り線１８２と、この２本の切り取り線１８２とを結ぶ折り曲げ線１８３とを設け、折り曲げ線１８３に沿ってスタンド１８３を手前に折り曲げ、スタンドとして機能するように構成している。
【先行技術文献】
【特許文献】
【０００７】
【特許文献１】特開２００６−１５７１４公報
【０００８】
【特許文献２】実用新案登録第３０２３３４７号公報
【０００９】
【特許文献３】実用新案登録第３１６８５７３号公報
【００１０】
【非特許文献４】“簡単な「写真立て」の作り方”［平成25年10月22日検索］、インターネット〈URL：http://ameblo.jp/a0542843259/entry-11453023168.html〉
【発明の概要】
【発明が解決しようとする課題】
【００１１】
特許文献１記載の第１の従来技術は、三角片部１５１，１５１’の底辺１５２，１５２’が葉書写真立ての底辺１５３，１５３’の上部に設けられており、かつ、凹部の折り曲げ線１５４，１５４’が葉書写真立ての底辺１５３，１５３’に対してほぼ垂直となるように形成されている。写真立てとして用いる場合、折り出した三角片部１５１，１５１’の先端Ｐ１、Ｐ１’と葉書写真立ての底辺１５３，１５３’とで葉書写真立てを支える構成としている。すなわち、受取人が写真立ての裏側（郵便葉書としての葉書写真立てでは正面）の写真などを眺めやすくするため、上記の構成により、写真立て傾斜角度を設けるように構成している。
【００１２】
換言すると、三角片部１５１，１５１’の底辺１５２，１５２’が葉書写真立ての底辺１５３，１５３’と同じ直線上に存在する場合、三角片部１５１，１５１’を折り出して載置面に立てようとすると、三角片部１５１，１５１’は載置面に対して垂直となり、葉書写真立てを傾斜することが出来ないため安定して立てておくことは不可能である。この為、三角片部１５１，１５１’の底辺１５２，１５２’を葉書写真立ての底辺１５３，１５３’の上部に設けるように構成し、葉書写真立てを表面側に傾斜させ、三角片部１５１，１５１’の先端Ｐ１、Ｐ１’と葉書写真立ての底辺１５３，１５３’とで葉書写真立てを支える構造としているが、この支持構造は安定性に欠けるという欠点がある。具体的には、先端Ｐ１、Ｐ１’は載置面と一点で接触しているため、先端Ｐ１、Ｐ１’と載置面との摩擦力が小さいので滑りやすく、先端Ｐ１、Ｐ１’の位置が安定しないという問題がある。さらに、先端Ｐ１、Ｐ１’に力が集中するので先端Ｐ１、Ｐ１’が傷みやすいという問題がある。
【００１３】
また、はがきの表面に垂直に三角片部１５１，１５１’を折り出して、先端Ｐ１、Ｐ１’と葉書写真立ての底辺１５３，１５３’とで葉書写真立てを支える構造としているので、葉書写真立ての載置面に対する傾斜角は一定となり、受取人の好みの角度に調整することが出来ないという問題がある。鑑賞者にとって、鑑賞者と葉書写真立てとの距離、葉書写真立てが載置される載置面の高さ、葉書写真立ての周囲の照度などに合わせて葉書写真立ての傾斜面を調整できることが好ましいが、本公報記載の葉書写真立ては、上述した構造上の問題により葉書写真立ての傾斜面を調整することは困難である。
【００１４】
また三角片部１５１，１５１’の辺を構成するミシン目状の切り込み線に沿って、三角片部１５１，１５１’を折り出す際、切り込み線にツメなどを挿入し三角片部１５１，１５１’を手前側に引っ張るが、ツメなどを切り込み線の凹部に引っかけることが難しい。この為、三角片部１５１，１５１’を手前側に引っ張って三角片部１５１，１５１’の連結部を切断するのは簡単ではなく、三角片部１５１，１５１’を立設する際の作業性が悪いという問題がある。
【００１５】
また特許文献２記載のポストカードおよび特許文献３記載の多機能はがき構造についても特許文献１と同様の課題がある。また図１７に記載の多機能はがき構造において特に説明は無いが、凹部１７４はツメや指をかけて縦方向のシート１７２を引き起こすために設けられていると思われる。この場合、はがきの表面に凹凸が形成されることになり、郵便物としては好ましくない。すなわち、はがきの表面は自動仕分け処理などの際に出来るだけ平坦であることが好ましく、特許文献３記載のような凹部１７４を設けると自動仕分けなどの際に支障が生じる。従って、特許文献３記載のような凹部１７４を設けることなく、縦方向のシート１７２を引き起こすことが好ましい。
【００１６】
また非特許文献１記載のはがき立ては郵送することを全く考慮しておらず、本技術をはがきに適用した場合は、郵送前からスタンド１８４のコーナー部１８５からスタンド１８４が捲れてしまうという恐れがある。このようなはがきを郵送することは、自動選別などで障害となりそのままの状態で郵送することは困難である。また、折り曲げ線１８３が裏面薄板シート１８１の底辺となす角度は、４５°近くと深い角度で形成され、この為写真立てを載置面に対して９０°近くの傾斜面で立てようとすると著しく不安定になるという問題がある。すなわち、写真立てをほぼ垂直近くの角度で立設しようとすると、スタンドを開く角度を極めて小さくせざるを得ず、この為、裏面薄板シート１８１とスタンド１８４とを上面から見たときの面積が小さくなり、写真立てとしての安定性が欠けるという問題がある。また、折り曲げ線１８３と裏面薄板シート１８１の底面との角度を４５°近くから、より急峻な角度に設定したとすると、この角度設定によりスタンドの底面の長さが小さくなり、短い底面長でスタンドを安定させなければならないことから、写真立てを上記のスタンドを用いて安定して立設することは困難である。
【課題を解決するための手段】
【００１７】
本発明のスタンド付はがきは、送付先の氏名・住所などが記載される表面薄板シートと、前記表面薄板シートの裏面に積層され、写真や絵又はメッセージなどが描かれる裏面薄板シートと、を備えるスタンド付はがきであって、前記表面薄板シートに、折り曲げ線と、一部に連結部を設けた切り込み線とを有し、スタンドとして使用する際は前記連結部を切断し、前記折り曲げ線に沿って引き起こす型抜きスタンドを備え、前記スタンド付はがきが載置面と接触するはがき底辺と前記折り曲げ線がなす角θは９０°よりも小さく、かつ、前記型抜きスタンドの底辺と前記はがき底辺は実質的に同一直線上にあり、前記折り曲げ線は、実質的に前記はがき底辺まで延びる線に構成されたものである。
【００１８】
また前記角θは、５０°乃至８０°であるように構成しても良い。さらに、前記型抜きスタンドの底辺が、前記スタンド付はがきの短辺側に設けられているように構成しても良い。
【００１９】
また前記折り曲げ線は、実質的に前記はがき底辺まで延びる直線で構成されるように構成しても良い。さらに、前記はがき底辺と交差し前記スタンドに近い方の辺から離れて、この辺に近い方の前記切り込み線を設けように構成しても良い。
【００２０】
また前記スタンド付はがきの載置面に対する傾斜角をα、前記折り曲げ線の前記型抜きスタンドの底辺に対する角度をθ、前記スタンドを開く角度をβとすると、前記各角度は下記の式に従うように構成しても良い。
【００２１】
ｔａｎα＝ｔａｎθ・（１／ｓｉｎβ）
【００２２】
また前記角度βを調整することにより、前記スタンド付はがきが所望の前記傾斜角αで前記載置面に立設されるように構成しても良い。
【００２３】
前記型抜きスタンドの底辺が、前記スタンド付はがきの短辺側に設けられ、前記スタンド付はがきの載置面に対する傾斜角をα、前記折り曲げ線の前記型抜きスタンドの底辺に対する角度をθ、前記スタンドを開く角度をβ、前記スタンド付はがきの長辺の長さをＬ２、前記型抜きスタンドの底辺の長さをＬ１とすると、前記各角度は下記の式に従うように構成しても良い。
【００２４】
Ｌ２／（２・Ｌ１）＜ｓｉｎβ／ ｃｏｓα
【００２５】
また前記表面薄板シートと前記裏面薄板シートは、前記裏面薄板シートに描画された写真や絵などのオブジェクトの外形に合わせた形状であっても良い。
【発明の効果】
【００２６】
本発明のスタンド付はがきは、はがき底辺とスタンド底辺とでスタンド付はがきを支持し立設するので、同一傾斜角を安定して保つことが出来るという特徴がある。すなわち、特許文献１乃至特許文献３では、先端Ｐ１、Ｐ１’ではがき又は写真立てを支持しているが、本発明のスタンド付きはがきはスタンド底辺で支持するのでスタンド底辺と載置面との摩擦力が大きく、従来技術で問題であった滑りやすさは改善し、本発明によるスタンド付はがきは安定して載置面に立設される。さらに、先端部に力が集中し先端部が傷みやすいという問題も生じない。
【００２７】
また鑑賞者がスタンドを開く角度を調整することにより、本発明によるスタンド付はがきの載置面に対する傾斜角を、鑑賞者の好みの角度に調整することができる。すなわち本発明のスタンド付はがきの傾斜角αは、スタンドの折り曲げ線がスタンド付はがきの底辺となす角度θとスタンドを開く角度βにより定まる。角度θは設計で定まる固定値であるが、角度βについては鑑賞者とスタンド付はがきとの距離、スタンド付はがきが載置される載置面の高さ、スタンド付はがきの周囲の照度などに合わせて、鑑賞者がスタンド付はがきの好みの傾斜角αに調整することができる。
【００２８】
また本発明のスタンド付はがきは角度βが小さい場合においても、角度θを比較的大きく設定することが可能なため、スタンド付はがきを安定して載置面に立設することができる。また角度θを比較的大きく設定し、切手貼り付け位置の指示枠、郵便番号記入欄、住所・氏名記入欄、メッセージ記入欄などのスペースを十分の広さで確保することが出来る。
【００２９】
さらに本発明のスタンド付はがきは、型抜きスタンド底辺とスタンド付はがきの底辺とがほぼ同一直線上にあるので、型抜きスタンド底辺にツメまたは指をかけて、ストレスを感じることなく簡単にスタンドを引き起こし、スタンド付はがきを好みの傾斜角で立設することができる。また本発明によるスタンド付はがきは、特許文献３に記載の凹部１７４を設けることなく容易に型抜きスタンドを引き起こしスタンドとして形成することができるので、はがきの表面全体が平坦であるという特徴がある。また、型抜きスタンドの底辺と切り込み線とがなすコーナー部は、はがき底辺と交差する辺の内側に位置するので、コーナー部からスタンドが捲れて郵送前、又は郵送中にスタンドが開いてしまうという問題は生じない。換言すると、本発明によるスタンド付はがきは、郵送前、又は郵送中にはがきとしての規格である平坦性を満たすように構成される。
【００３０】
また型抜きスタンドの折り目線、ミシン目の外側に、はがき表面を構成する表面薄板シートと、はがき裏面を構成する裏面薄板シートとを接着する糊を塗布するが、糊を塗布して２つの薄板シートを接着する際に、糊が広がって型抜きスタンドの領域までしみだしてくる恐れがある。このしみだしを防ぐために、塗布する糊は型抜きスタンドの折り目線、ミシン目の外側に数ミリ離して塗布し、糊を転写する位置合わせを自動糊付け機構により精度良く制御しているが、特許文献１乃至特許文献３においては、はがき底辺と三角片部、フラップ又は縦方向のシートの角底辺との間に塗布する糊を高精度で位置合わせする必要がある。一方、本発明によるスタンド付はがきは型抜きスタンドの底辺とはがき底辺との間に糊を塗布しないので、製造条件として特許文献１乃至特許文献３に必要な高精度の制御は必要としない。
【図面の簡単な説明】
【００３１】
【図１】本発明によるスタンド付はがきの宛名面（表面）の平面図である。
【図２】図２（ａ）は本発明によるスタンド付はがきを構成する型抜きスタンドが裏面薄板シートと密着している状態を示す断面図であり、図２（ｂ）は型抜きスタンドを裏面薄板シートから引き起こす途中状態を示す断面図である。
【図３】本発明によるスタンド付はがきを立てた状態を裏側から見た斜視図である。
【図４】図４（ａ）は本発明によるスタンド付はがきを構成する型抜きスタンドが裏面薄板シートと密着している状態を示す断面図であり、図４（ｂ）は型抜きスタンドを裏面薄板シートから引き起こしてスタンドを形成し、このスタンドを用いてスタンド付はがきを立てた状態を示す側面断面図である。
【図５】本発明によるスタンド付はがきの正面図（裏面）である。
【図６】本発明による縦型のスタンド付はがきの宛名面（表面）の平面図である。
【図７】本発明による縦型のスタンド付はがきを立てた状態を裏側から見た斜視図である。
【図８】図８（ａ）は本発明による縦型のスタンド付はがきを構成する型抜きスタンドが裏面薄板シートと密着している状態を示す断面図であり、図８（ｂ）は型抜きスタンドを裏面薄板シートから引き起こしてスタンドを形成し、このスタンドを用いて縦型のスタンド付はがきを立てた状態を示す側面断面図である。
【図９】本発明による縦型のスタンド付はがきの正面図（裏面）である。
【図１０】図１０（ａ）は本発明によるスタンド付はがきにおいて、各記入欄が未記入の状態の正面図（裏面）を示し、図１０（ｂ）は各記入欄が記載又は描画された状態の正面図（裏面）である。
【図１１】本発明によるスタンド付はがきの描画例を説明する正面図（裏面）である。
【図１２】本発明によるスタンド付はがきの描画例を説明する正面図（裏面）である。
【図１３】図１３（ａ）は、本発明によるスタンド付はがきの宛名面（表面）を表す平面図であり、図１３（ｂ）は、記載又は描画前の本発明によるスタンド付はがきの正面図（裏面）である。
【図１４】本発明によるスタンド付はがきの描画例を説明する正面図（裏面）である。
【図１５】第１の従来技術の葉書写真立てを表す斜視図である。
【図１６】第２の従来技術のポストカードを表す背面平面図である。
【図１７】第３の従来技術のはがき構造を表す斜視図である。
【図１８】第４の従来技術の写真立ての構造を表す平面図である。
【発明を実施するための形態】
【００３２】
次に、本発明のスタンド付はがきの一実施形態について、図面を参照しながら説明する。なお本発明の実施の形態において、スタンド付はがきの表面（宛名面）は、切手貼り付け位置の指示枠、郵便番号記入欄、住所・氏名記入欄、メッセージ記入欄などが設けられる方の面を意味し、裏面（正面）は写真や絵、メッセージなどが描かれた方の面を意味する。またスタンド付はがきの底辺は、スタンド付はがきを載置面に立設したときに載置面と接触する辺を意味する。
【００３３】
図１は、本発明によるスタンド付はがき１１の宛名面（表面）の平面図であり、１２は切手添付部、１３は郵便番号記入欄、１４はスタンド付はがき１１の底辺、１５は型抜きスタンドである。型抜きスタンド１５は、図２に記載の表面薄板シート２１と、折り曲げ線１５ａ、切り込み線１５ｂ，１５ｃと、切り込み線１５ｂ，１５ｃの一部に設けられ外側の表面薄板シート２１に連結する複数の連結部１５ｅから形成されている。この折り曲げ線１５ａは、図２に示すように、一実施例として金型を用いたプレス加工により表面薄板シート１５の表面に凹状の溝を加工することで形成されるが他の製造方法を用いても良い。すなわち、折り曲げ線１５ａは凹状の溝が連続していなくても、折り曲げ線１５ａに沿って少なくとも一部に折り曲げ加工がなされていればよい。また折り曲げ線１５ａは直線、曲線、または直線と曲線の組合せのいずれかであっても良い。また、切り込み線１５ｂ，１５ｃは連結部１５ｅを除いて金型プレス加工により切断される。１６は糊付け境界線であり、糊付け境界線１６の外側に自動糊付け機構を用いて糊が自動的に塗布され、表面薄板シート２１と裏面薄板シート２２とが糊付けされる。また糊付け境界線１６は、折り曲げ線１５ａ、切り込み線１５ｂ，１５ｃの外側数ｍｍに設けられており、糊が糊付け境界線１６の内側にはみ出しても、折り曲げ線１５ａ、切り込み線１５ｂ，１５ｃに達しないように構成される。この為、型抜きスタンド１５は裏面薄板シート２１に接着されていない。また角度θは、折り曲げ線１５ａとスタンド付はがき１１の底辺１４とがなす角度であり、９０°よりも小さく、５０°〜８０°の範囲が好ましい。すなわち角度θが大きくなると、スタンドを立てたときのスタンド付はがき１１の傾斜角αが大きくなって、傾斜角が９０°付近ではスタンドを立てたときの安定性に欠け、逆に角度θを５０°よりも小さくした場合は、住所・氏名記入欄、メッセージ記入欄の領域が狭くなるという問題があり、角度θはこれらの条件を考慮して決定する。
【００３４】
受取人は、郵送された本発明によるスタンド付はがき１１を受け取って鑑賞する際は、最初に型抜きスタンド１５を手前方向に引き起こして連結部１５ｅを切断する。本発明のスタンド付はがき１１は、型抜きスタンド底辺１５ｄとスタンド付はがきの底辺１４とがほぼ同一直線上にあるので、型抜きスタンド底辺１５ｄにツメまたは指をかけて、ストレスを感じることなく簡単に型抜きスタンド１５を引き起こし、スタンド付はがき１１を好みの傾斜角で立てることができる。また本発明によるスタンド付はがき１１は、特許文献３に記載の凹部１７４を設けることなく容易に型抜きスタンド１５を引き起こし、図３に示すスタンド１５Ａとして形成することができるので、はがきの表面全体が平坦であるという優れた特徴がある。
【００３５】
図２（ａ）は図１の下方から、本発明によるスタンド付はがき１１を構成する型抜きスタンド１５が裏面薄板シート２２と密着している状態を示した断面図であり、図２（ｂ）は同様の視点から型抜きスタンドを裏面薄板シート２２から引き起こす途中状態を示す断面図である。図２（ａ）からわかるように、本発明によるスタンド付はがきの宛名面は、折り曲げ線１５ａ、切り込み線１５ｂ，１５ｃの少しの凹部を除いて全面にわたり平坦であり、自動仕分け処理などで問題になることがない。本発明のスタンド付はがきは型抜きスタンド底辺１５ｄとスタンド付はがきの底辺１４とがほぼ同一直線上にあり、かつ、図２（ｂ）に示すように、型抜きスタンド１５は裏面薄板シート２２にどんな糊付け状態であっても接着されていないので、型抜きスタンド底辺１５ｄにツメまたは指をかけて型抜きスタンド１５を引き起こすと、型抜きスタンド１５と裏面薄板シート２２間に隙間が生じ、この隙間を用いてストレスを感じることなく簡単にスタンドを引き起こすことができる。また、型抜きスタンド１５の底辺１５ｄと切り込み線１５ｃとがなすコーナー部は、はがき底辺１４と交差する右辺の内側に位置するので、コーナー部からスタンドが捲れて郵送前、又は郵送中にスタンドＡが開いてしまうという問題は生じない。換言すると、本発明によるスタンド付はがき１１は、郵送前、又は郵送中にはがきとしての規格である平坦性を満たすように構成される。
【００３６】
図３は、本発明によるスタンド付はがき１１を立てた状態を裏側から見た斜視図であり、図１及び図２に示す型抜きスタンド１５を引き起こしてスタンド１５Ａを作成し、スタンド付はがき１１の底辺１４と型抜きスタンド底辺１５ｄとでスタンド付はがき１１を安定して立てるように構成している。ここでスタンド１５Ａを開く角度をβとする。
【００３７】
図４（ａ）は本発明によるスタンド付はがき１１を構成する型抜きスタンド１５が裏面薄板シート２２と密着している状態を示す断面図であり、図４（ｂ）は型抜きスタンド１５を裏面薄板シート２２から引き起こしてスタンド１５Ａを形成し、このスタンド１５Ａを用いてスタンド付はがき１１を立てた状態を示す側面断面図である。図４に示すスタンド付はがき１１の載置面４１に対する傾斜角をαとすると、傾斜角αは（１）式により算出することが出来る。
【００３８】
ｔａｎα＝ｔａｎθ・（１／ｓｉｎβ）        ・・・（１）
【００３９】
上式より図４（ａ）に示すように、角度θが９０°の場合は傾斜角αも９０°となり、スタンド付はがき１１を載置面４１に立てたときの重心位置は最大となり安定性が悪いが、図４（ｂ）に示すように、角度θを９０°よりも小さくすることにより、スタンド付はがき１１の重心位置は低くなり安定性が増加する。またスタンド１５Ａを開く角度βを大きくすると、スタンド付はがき１１の載置面４１に対する傾斜角αは（１）式に従って小さくなる。従って（１）式を用いて、受取人（鑑賞者）が鑑賞しやすいよう裏面に描かれたデザインや縦置き・横置きタイプなどに応じておおまかな傾斜角αを予め角度θを用いて定めておく。さらに、受取人（鑑賞者）は鑑賞者とスタンド付はがき１１との距離、スタンド付はがき１１が載置される載置面４１の高さ、スタンド付はがき１１の周囲の照度などに合わせて、スタンド１５Ａを開く角度βを調整してスタンド付はがき１１を好みの傾斜角αに調整する。
【００４０】
次に図５を参照して本発明によるスタンド付はがき１１の正面図（裏面）について説明する。図５において、描画領域５１に富士山をモチーフとした絵が描かれており、５２は切手の縁をモチーフとした縁飾である。このように日本または世界の名所旧跡をモチーフとした写真や絵が描かれたスタンド付はがき１１を受取人に郵送することにより、受取人は差出人が郵送した場所を容易に類推することが可能であり、差出人と受取人との間で描かれた絵や写真を介して気持ちの交流を図ることが出来る。この為、受取人は差出人が贈ったスタンド付はがき１１を直ぐに引き出しなどにしまい込むことなく、スタンド１５Ａを用いて身近なところに飾って鑑賞することが期待できる。
【００４１】
次に図６〜図８を参照して、本発明による縦型のスタンド付はがき６１について説明する。図６は、図１で説明した横型のスタンド付はがき１１と同様の構成を示す宛名面（表面）の平面図であり、６２は切手添付部、６３は郵便番号記入欄、６４はスタンド付はがき６１の底辺、６５は型抜きスタンドである。型抜きスタンド６５は、図８に記載の表面薄板シート８３と、折り曲げ線６５ａ、切り込み線６５ｂ，６５ｃと、切り込み線６５ｂ，６５ｃの一部に設けられ外側の表面薄板シート８３に連結する複数の連結部６５ｅから形成されている。また、切り込み線６５ｂ，６５ｃは連結部６５ｅを除いて金型プレス加工により切断される。またθ’はスタンドの折り曲げ線６５ａがスタンド付はがき６１の底辺６４となす角度を表す。縦型のスタンド付はがき６１の場合、横型のスタンド付はがき１１に比べてスタンド付はがき６１の底辺６４の長さが限定されるので、角度θ’の範囲の最小値は底辺６４の長さを考慮して決定する。
【００４２】
図７は、図３で説明した横型のスタンド付はがき１１と同様に、本発明による縦型スタンド付はがき６１を立てた状態を裏側から見た斜視図であり、図６に示す型抜きスタンド６５を引き起こしてスタンド６５Ａを作成し、縦型スタンド付はがき６１の底辺６４と型抜きスタンド底辺６５ｄとで縦型スタンド付はがき６１を安定して立てるように構成している。ここでβ’はスタンド６５Ａを開く角度である。
【００４３】
縦型スタンド付はがき６１の場合、横型のスタンド付はがき１１と比して重心の位置が高いので、縦型スタンド付はがき６１を立てたときの安定性が横型のスタンド付はがき１１と比して悪いという問題がある。次に図８を参照して、縦型スタンド付はがき６１の安定性について説明する。図８（ａ）は図４（ａ）と同様、縦型スタンド付はがき６１を構成する型抜きスタンド６５が裏面薄板シート８４と密着している状態を示す断面図であり、図８（ｂ）は型抜きスタンド６５を裏面薄板シート８４から引き起こしてスタンド６５Ａを形成し、このスタンド６５Ａを用いて縦型スタンド付はがき６１を立てた状態を示す側面断面図である。
【００４４】
図８（ｂ）において、縦型スタンド付はがき６１と載置面８１との接触点をＰ２、縦型スタンド付はがき６１の重心をＧ、重心Ｇからの垂線を８２、垂線８２と載置面８１との交点から点Ｐ２までの長さをＬ３、スタンド６５Ａを角度β’で開いた状態で手前方向から見たスタンド６５Ａの先端Ｐ３から点Ｐ２までの寸法をＬ４とすると、縦型スタンド付はがき６１を安定して立てるためには少なくとも（２）式を満たす必要がある。
【００４５】
Ｌ３＜Ｌ４    ・・・（２）
【００４６】
縦型スタンド付はがき６１の長辺の長さをＬ２、図６に示すようにスタンド６５Ａの底辺の長さをＬ１とすると、Ｌ３＝（Ｌ２／２）・ｃｏｓα’、Ｌ４＝Ｌ１・ｓｉｎβ’なので、（２）式は（３）式又は（３）’式のように変形することが出来る。
【００４７】
（Ｌ２／２）・ｃｏｓα’＜ Ｌ１・ｓｉｎβ’  ・・・（３）
【００４８】
Ｌ２／（２・Ｌ１）＜ｓｉｎβ’／ ｃｏｓα’   ・・・（３）’
【００４９】
また、傾斜角α’、角度θ’、角度β’は（１）式と同様な下記（４）式に従う。
【００５０】
ｔａｎα’＝ｔａｎθ’・（１／ｓｉｎβ’）        ・・・（４）
【００５１】
従って、縦型スタンド付はがき６１を安定して立てるためには少なくとも上記の（３）式又は（３）’式及び（４）式を満たすように条件設定を行う。
【００５２】
次に図９を参照して本発明による縦型スタンド付はがき６１の正面図（裏面）について説明する。図９において、鯉のぼりをモチーフとした絵が描かれており、このデザインは縦型スタンド付はがき６１で可能なデザインであって、横型スタンド付はがき１１ではデザインが困難である。このように鯉のぼりのデザインに限らず、写真や絵、イラストなどのデザインが本質的に縦型に合っている場合は、縦型スタンド付はがき６１が好適である。
【００５３】
次に図１０（ａ）、（ｂ）を参照して、正面図（裏面）が絵日記風にデザインされているスタンド付はがき１０１について説明する。図１０（ａ）、（ｂ）は、タイトル記入欄１０２と、罫線に沿ってメッセージを書くメッセージ記入欄１０３と、絵などを自由に描く為のフリー記入欄１０４とを備えている。なおメッセージ記入欄１０３は、絵日記を作成した日付を記載する日付欄を設けている。図１０（ａ）は各記入欄が未記入の状態の正面図（裏面）を示し、図１０（ｂ）は一例として孫が祖父母に贈るために図１０（ａ）のタイトル記入欄１０２、メッセージ記入欄１０３、フリー記入欄１０４にそれぞれ「うんどうかいのえにっき」、「運動会でのできごと」、「運動会でのできごとの絵コンテ」を描画したものを示している。孫からの心のこもったスタンド付はがき１０１を受けとった受取人は、スタンド付はがき１０１の表面（宛先面）に実装されたスタンドを載置面に立設して身近なところに立て飾り、孫からのプレゼントを長く楽しむことが出来る。
【００５４】
次に図１１を参照して、正面図（裏面）が黒板風にデザインされているスタンド付はがき１１１について説明する。図１１に示すスタンド付はがき１１１は背景となる黒板に日付欄、黒板消しなどが初期的に描画されており、これらの背景画像に祖母が日付、孫に向けたメッセージ、チューリップ、蝶、船などの絵を描画したものを示している。またメッセージ及び絵は白を使うことにより、チョークの感じを出すように構成している。図１１は祖母から孫に宛てたお祝いとしてのスタンド付はがき１１１の例であるが、これに限らず、このデザインは卒業式や同窓会の案内など幅広く使用することが出来る。
【００５５】
次に図１２を参照して、正面図（裏面）がカレンダーとしてデザインされているスタンド付はがき１２１について説明する。スタンド付はがき１２１はカレンダーが描画された暑中見舞い用のはがきであって、一例として上部に暑中見舞い用のメッセージ、中央部に一例として７月〜８月までの暦が描かれている。図１２には描かれていないが、贈り主からの一口メッセージがフリーハンドで描かれていても良い。このスタンド付はがき１２１を受けとった受取人は、スタンド付はがき１２１の表面（宛先面）に実装されたスタンドを載置面に立設して身近なところに立て飾り、カレンダーとして利用することが出来る。
【００５６】
次に図１３（ａ）、（ｂ）を参照して、正面図（裏面）がＡＩＲ  ＭＡＩＬ風にデザインされているスタンド付はがき１３１について説明する。図１３（ａ）は、スタンド付はがき１３１の宛名面（表面）を表し、差出人の氏名・住所及び受取人の住所・氏名などを英語表記などで記載する。また図１３（ｂ）は、縁がＡＩＲ  ＭＡＩＬであることが明示的にわかるようにデザインされ、この縁の内側に、写真や絵、メッセージを描画することができる。この為本発明によるスタンド付はがき１３１は、国外へ郵送する場合についても上記に説明したと同様に使用することが出来る。すなわち、差出人は本発明によるスタンド付はがき１３１を外国の受取人宛に郵送し、受取人はスタンド付はがき１３１の表面（宛先面）に実装されたスタンドを載置面に立設して身近なところに立て飾り、正面図（裏面）に描画された写真や絵、メッセージを鑑賞することが出来る。
【００５７】
次に図１４を参照して、正面図（裏面）が自動車としてデザインされているスタンド付はがき１４１について説明する。図１４は自動車の絵の外形に合わせてスタンド付はがき１４１の外形が形成された正面図（裏面）を示し、自動車としてのモチーフがより鮮明となるように工夫されている。これにより、車メーカのＤＭ（Direct Mail）として用い、受取人がスタンド付はがき１４１の表面（宛先面）に実装されたスタンドを載置面に立設して身近なところに立て飾って鑑賞してもらうことにより、車の宣伝効果は非常に大きいものとなる。なお図示していないが、宣伝する車の名称をさりげなく描画し、宣伝したい特定の車の宣伝効果を高めるようにしても良い。また上記において、描画されたものが車の場合について説明したが、車に限らず、山などの自然風景、動物、風車、神社・仏閣などの建設物、人物などの広範囲なオブジェクトであって良く、これらのオブジェクトの外形に合わせてスタンド付はがき１４１の外形を作成するようにしても良い。
【符号の説明】
【００５８】
１１，６１，１０１，１１１，１２１，１３１，１４１  スタンド付はがき
１２  切手添付部
１３  郵便番号記入欄
１４，６４  スタンド付はがきの底辺
１５，６５  型抜きスタンド
１５ａ，６５ａ  折り曲げ線
１５ｂ，１５ｃ，６５ｂ，６５ｃ  切り込み線
１５ｄ，６５ｄ  型抜きスタンド底辺
１５Ａ，６５Ａ  スタンド
１６，６６  糊付け境界線
２１，８３  表面薄板シート
２２，８４  裏面薄板シート
【要約】
【課題】
宛名面に型抜きスタンド１５を設け、受取人はこれを引き起こして作成したスタンド１５Ａを用いてスタンド付きはがき１１を立設し、正面（裏面）に描画された写真や絵、メッセージを鑑賞する。
【解決手段】
型抜きスタンド１５は、表面薄板シート２１に形成された折り曲げ線１５ａ、切り込み線１５ｂ，１５ｃと、切り込み線１５ｂ，１５ｃの一部に設けられ外側の表面薄板シート２１に連結する複数の連結部１５ｅから形成され、折り曲げ線１５ａとスタンド付はがき１１の底辺１４とがなす角度θは、９０°よりも小さい角度範囲で形成される。受取人はスタンド１５Ａを開く角度を調整して、好みの傾斜角度にスタンド付きはがき１１を調整することが出来る。また型抜きスタンド１５を底辺１５ｄの箇所から、簡単に引き起こすことが出来る。
【選択図】        図３【図１】
0005593478.tif 000002
【図２】
0005593478.tif 000003
【図３】
0005593478.tif 000004
【図４】
0005593478.tif 000005
【図５】
0005593478.tif 000006
【図６】
0005593478.tif 000007
【図７】
0005593478.tif 000008
【図８】
0005593478.tif 000009
【図９】
0005593478.tif 000010
【図１０】
0005593478.tif 000011
【図１１】
0005593478.tif 000012
【図１２】
0005593478.tif 000013
【図１３】
0005593478.tif 000014
【図１４】
0005593478.tif 000015
【図１５】
0005593478.tif 000016
【図１６】
0005593478.tif 000017
【図１７】
0005593478.tif 000018
【図１８】
0005593478.tif 000019